(57)【要約】【課題】金属性薄板からなるステージ部の表面に半導体チップを搭載し、ステージ部の裏面を外方に露出させるように半導体チップ及びステージ部を樹脂モールド部で封止した構成の半導体パッケージにおいて、ステージ部の裏面にめっきを施す作業を簡便に行うことができるようにする。【解決手段】ステージ部５の裏面５ｂとその厚さ方向に重なる樹脂モールド部９の積層部分Ｓよりも外側に位置する樹脂モールド部９の外郭部分Ｏに、ステージ部５の表面５ａの上方に位置する樹脂モールド部９の上面９ａから突出する突起部１１を形成する。また、突起部１１を含む樹脂モールド部９の外郭部分Ｏの厚さ寸法が、ステージ部５及び樹脂モールド部９の積層部分Ｓを足し合わせた厚さ寸法よりも大きくなるように設定する。【選択図】図３
2010192848.tif 000002
【特許請求の範囲】
【請求項１】
半導体チップと、該半導体チップを表面に配した板状のステージ部と、前記半導体チップの周囲に配されて前記半導体チップに電気接続される複数のリードと、前記ステージ部の裏面が外方に露出するように前記半導体チップ、前記ステージ部及び前記リードを封止する樹脂モールド部とを備え、
前記樹脂モールド部のうち、前記ステージ部の裏面と当該ステージ部の厚さ方向に重なる前記樹脂モールド部の積層部分よりも外側に位置する前記樹脂モールド部の外郭部分には、前記ステージ部の表面側及び裏面側の少なくとも一方から前記ステージ部の厚さ方向に突出する突起部が形成され、
前記突起部を含む前記樹脂モールド部の外郭部分の厚さ寸法が、前記樹脂モールド部の積層部分の厚さ寸法及び前記ステージ部の厚さ寸法を足し合わせた厚さ寸法よりも大きいことを特徴とする半導体パッケージ。
【請求項２】
前記突起部が、前記樹脂モールド部の積層部分を囲む平面視環状に形成されていることを特徴とする請求項１に記載の半導体パッケージ。
【請求項３】
前記突起部が、前記ステージ部の裏面の中心を通って前記厚さ方向に延びる中心軸線を中心として互いに軸対称となる位置に複数形成されていることを特徴とする請求項１に記載の半導体パッケージ。
【請求項４】
板状のステージ部と、当該ステージ部の周囲に配される複数のリードと、前記ステージ部を囲繞して前記複数のリードを相互に連結するフレーム枠部と、当該フレーム枠部及び前記ステージ部を相互に連結する連結リードとを備えるリードフレームを金属性薄板に形成するフレーム準備工程と、
前記ステージ部の表面に半導体チップを固定し、該半導体チップを前記リードに電気接続するチップ搭載工程と、
前記ステージ部の裏面を外方に露出させるように、前記ステージ部、前記半導体チップ及び前記リードを封止する樹脂モールド部を形成するモールド工程と、
前記樹脂モールド部から外方に露出する前記ステージ部及び前記リードにめっきを施すめっき工程とを備え、
前記モールド工程において、前記樹脂モールド部のうち、前記ステージ部の裏面と当該ステージ部の厚さ方向に重なる前記樹脂モールド部の積層部分よりも外側に位置する前記樹脂モールド部の外郭部分には、前記ステージ部の表面側及び裏面側の少なくとも一方から前記ステージ部の厚さ方向に突出する突起部が形成され、かつ、前記突起部を含む前記樹脂モールド部の外郭部分の厚さ寸法が、前記樹脂モールド部の積層部分の厚さ寸法及び前記ステージ部の厚さ寸法を足し合わせた厚さ寸法よりも大きくなるように設定されることを特徴とする半導体パッケージの製造方法。
【請求項５】
前記フレーム準備工程において複数の前記リードフレームを用意すると共に、複数のリードフレームに対して前記チップ搭載工程及び前記モールド工程を実施し、
前記めっき工程の前に、複数の前記ステージ部がその厚さ方向に重なり合うように複数の前記リードフレームを積層し、一方のリードフレームに形成された前記樹脂モールド部の上面側あるいは下面側から突出する前記突起部を、他方のリードフレームに形成された前記樹脂モールド部の外郭部分の下面あるいは上面に当接させることで、上側の樹脂モールド部の下面に露出する前記ステージ部と、下側の樹脂モールド部の上面との間に隙間を形成することを特徴とする請求項４に記載の半導体パッケージの製造方法。
【発明の詳細な説明】
【技術分野】
【０００１】
この発明は、半導体パッケージ及びその製造方法に関する。
【背景技術】
【０００２】
従来の半導体パッケージには、例えば特許文献１のように、リードフレームによって構成される略板状のステージ部の表面に半導体チップを搭載して樹脂モールド部で封止した構成のものがある。この構成の半導体パッケージにおいては、半導体チップから発生する熱を効率よく放熱することを目的として、ステージ部の裏面を樹脂モールド部の外方に露出させている。また、この種の半導体パッケージでは、ステージ部の裏面全体を半田等により回路基板に接合させることで半導体チップの熱を回路基板に逃がすため、ステージ部の裏面には半田の濡れ性を向上させるためのめっきが形成されている。このめっきは、樹脂モールド部を形成した後に行われる。
【先行技術文献】
【特許文献】
【０００３】
【特許文献１】特開２０００−１５０７２５号公報
【発明の概要】
【発明が解決しようとする課題】
【０００４】
このような半導体パッケージは、めっきを施した後に複数積層した状態で搬送されることがあるが、この際、上側の半導体パッケージのステージ部の裏面に形成されためっきが、下側の半導体パッケージの樹脂モールド部に付着してしまう虞がある。すなわち、ステージ部の裏面に形成されためっきが剥がれてしまう虞がある。
また、半導体パッケージをその厚さ方向に複数積層した状態でめっきを施す場合には、上側の半導体パッケージのステージ部が下側の樹脂モールド部に接触しないように、上下のリードフレーム間に別途スペーサを設置する必要があるが、この設置作業は面倒であり、結果として、半導体パッケージの製造効率が低下する虞がある。
【０００５】
本発明は、上述した事情に鑑みてなされたものであって、ステージ部の裏面にめっきを施すための作業を簡便に行うことができ、また、ステージ部の裏面に形成されためっきが剥がれることを防止できる半導体パッケージ及びその製造方法を提供することを目的とする。
【課題を解決するための手段】
【０００６】
上記課題を解決するために、この発明は以下の手段を提案している。
本発明の半導体パッケージは、半導体チップと、該半導体チップを表面に配した板状のステージ部と、前記半導体チップの周囲に配されて前記半導体チップに電気接続される複数のリードと、前記ステージ部の裏面が外方に露出するように前記半導体チップ、前記ステージ部及び前記リードを封止する樹脂モールド部とを備え、前記樹脂モールド部のうち、前記ステージ部の裏面と当該ステージ部の厚さ方向に重なる前記樹脂モールド部の積層部分よりも外側に位置する前記樹脂モールド部の外郭部分には、前記ステージ部の表面側及び裏面側の少なくとも一方から前記ステージ部の厚さ方向に突出する突起部が形成され、前記突起部を含む前記樹脂モールド部の外郭部分の厚さ寸法が、前記樹脂モールド部の積層部分の厚さ寸法及び前記ステージ部の厚さ寸法を足し合わせた厚さ寸法よりも大きいことを特徴とする。
【０００７】
この半導体パッケージをその厚さ方向に複数重ね合わせる場合に、複数の半導体パッケージのステージ部がその厚さ方向に重なり合うように配置すると、一方の半導体パッケージの樹脂モールド部の上面側あるいは下面側から突出する突起部が、他方の樹脂モールド部の外郭部分の下面あるいは上面が当接する。これにより、上側の半導体パッケージを構成する樹脂モールド部の下面に露出するステージ部の裏面と、下側の半導体パッケージを構成する樹脂モールド部の上面との間には隙間が生じ、上側の半導体パッケージを構成するステージ部の裏面が下側の半導体パッケージを構成する樹脂モールド部に接触することを防止できる。
【０００８】
したがって、従来のように別途スペーサを設置することなく、上述したように複数の半導体パッケージを積層するだけで、各半導体パッケージのステージ部の裏面にめっきを施すことができる。すなわち、めっきを施すための作業を簡便に行うことができ、半導体パッケージの製造効率向上を図ることができる。
また、めっきを施した後に複数の半導体パッケージを積層した状態では、上側の半導体パッケージのステージ部の裏面に形成されためっきが、下側の半導体パッケージの樹脂モールド部の上部に付着することを防止できる。
【０００９】
そして、前記半導体パッケージにおいては、前記突起部が、前記樹脂モールド部の積層部分を囲む平面視環状に形成されてもよい。
【００１０】
また、前記半導体パッケージにおいては、前記突起部が、前記ステージ部の裏面の中心を通って前記厚さ方向に延びる中心軸線を中心として互いに軸対称となる位置に複数形成されてもよい。
【００１１】
そして、本発明の半導体パッケージの製造方法は、板状のステージ部と、当該ステージ部の周囲に配される複数のリードと、前記ステージ部を囲繞して前記複数のリードを相互に連結するフレーム枠部と、当該フレーム枠部及び前記ステージ部を相互に連結する連結リードとを備えるリードフレームを金属性薄板に形成するフレーム準備工程と、前記ステージ部の表面に半導体チップを固定し、該半導体チップを前記リードに電気接続するチップ搭載工程と、前記ステージ部の裏面を外方に露出させるように、前記ステージ部、前記半導体チップ及び前記リードを封止する樹脂モールド部を形成するモールド工程と、前記樹脂モールド部から外方に露出する前記ステージ部及び前記リードにめっきを施すめっき工程とを備え、前記モールド工程において、前記樹脂モールド部のうち、前記ステージ部の裏面と当該ステージ部の厚さ方向に重なる前記樹脂モールド部の積層部分よりも外側に位置する前記樹脂モールド部の外郭部分には、前記ステージ部の表面側及び裏面側の少なくとも一方から前記ステージ部の厚さ方向に突出する突起部が形成され、かつ、前記突起部を含む前記樹脂モールド部の外郭部分の厚さ寸法が、前記樹脂モールド部の積層部分の厚さ寸法及び前記ステージ部の厚さ寸法を足し合わせた厚さ寸法よりも大きくなるように設定されることを特徴とする。
【００１２】
そして、前記半導体パッケージの製造方法においては、前記フレーム準備工程において複数の前記リードフレームを用意すると共に、複数のリードフレームに対して前記チップ搭載工程及び前記モールド工程を実施し、前記めっき工程の前に、複数の前記ステージ部がその厚さ方向に重なり合うように複数の前記リードフレームを積層し、一方のリードフレームに形成された前記樹脂モールド部の上面側あるいは下面側から突出する前記突起部を、他方のリードフレームに形成された前記樹脂モールド部の外郭部分の下面あるいは上面に当接させることで、上側の樹脂モールド部の下面に露出する前記ステージ部と、下側の樹脂モールド部の上面との間に隙間を形成してもよい。
【発明の効果】
【００１３】
本発明によれば、複数の半導体パッケージを積層させてもステージ部の裏面にめっきを施すための作業を簡便に行うことができ、また、複数の半導体パッケージを積層した状態でステージ部の裏面に形成されためっきが剥がれることを防止できる。
【図面の簡単な説明】
【００１４】
【図１】この発明の一実施形態に係る半導体パッケージを、その樹脂モールド部の上面側から見た状態を示す平面図である。
【図２】図１の半導体パッケージを、その樹脂モールド部の下面側から見た状態を示す平面図である。
【図３】図１，２のＡ−Ａ矢視断面図である。
【図４】図１の半導体パッケージの製造に用いるリードフレームを、そのステージ部の裏面側から見た状態を示す平面図である。
【図５】図３の半導体パッケージを複数積層した状態を示す断面図である。
【図６】この発明の他の実施形態に係る半導体パッケージを、その樹脂モールド部の上面側から見た状態を示す平面図である。
【図７】この発明の他の実施形態に係る半導体パッケージを、その樹脂モールド部の上面側から見た状態を示す平面図である。
【図８】この発明の他の実施形態に係る半導体パッケージを複数積層した状態を示す断面図である。
【図９】この発明の他の実施形態に係る半導体パッケージを示す断面図である。
【発明を実施するための形態】
【００１５】
以下、図１〜５を参照して本発明の一実施形態に係る半導体パッケージ１について説明する。なお、図示例の半導体パッケージ１は、金属性薄板２０によって複数連結されているが、最終的には個別に切り分けられるようになっている。
図１〜３に示すように、各半導体パッケージ１は、半導体チップ３と、半導体チップ３を表面５ａに配した板状のステージ部５と、半導体チップ３の周囲に配されて半導体チップ３に電気接続される複数のインナーリード（リード）７と、これら半導体チップ３、ステージ部５及び複数のインナーリード７を封止する樹脂モールド部９とを備えている。
【００１６】
ステージ部５及びインナーリード７は、半導体パッケージ１の製造に使用するリードフレーム２１に形成されるものである。図４に示すように、このリードフレーム２１は、１つのステージ部５を備えるものを１個のものとして、金属性薄板２０に１列あるいは複数列に並ぶようにプレス加工やエッチング加工によって複数連ねて形成されるものである。以下、本明細書中では１個単位のものをリードフレーム２１と称する。
リードフレーム２１は、平面視略矩形に形成されたステージ部５と、ステージ部５の周囲に配される複数のリード２３と、複数のリード２３を相互に連結するフレーム枠部２５と、ステージ部５及びフレーム枠部２５を相互に連結する複数の連結リード２７とを備えて構成されている。フレーム枠部２５は、ステージ部５を囲繞する平面視略矩形の内縁を有しており、金属性薄板２０においては、相互に隣り合う２つのリードフレーム２１に共通する部位として形成されている。
【００１７】
ステージ部５の各辺は、フレーム枠部２５の各辺に沿うように配されている。また、複数のリード２３は、フレーム枠部２５の内縁の各辺からこれに対向するステージ部５の各辺に向けて突出しており、各リード２３の先端とステージ部５の各辺との間には隙間が形成されている。なお、図示例において、各リード２３は、ステージ部５やフレーム枠部２５の内縁の各辺に直交する方向に延びている。そして、各連結リード２７は、フレーム枠部２５の内縁の各角部からステージ部５の各角部まで直線状に延びて形成されている。
なお、各リード２３の先端部は半導体パッケージ１におけるインナーリード７をなしており、ステージ部５側に位置する各連結リード２７の先端部も、半導体パッケージ１の構成に含まれる。
【００１８】
さらに、リードフレーム２１には、複数のリード２３及び連結リード２７の長手方向の中途部を相互に連結するダムバー２９が形成されている。ダムバー２９は、平面視略矩形の環状に形成されており、その各辺はフレーム枠部２５やステージ部５の各辺に沿うように配されている。
このリードフレーム２１のほぼ全体は、元の金属性薄板２０と同じ厚さ寸法に設定されており、ダムバー２９とステージ部５との間に配される連結リード２７の先端部だけが、金属性薄板２０よりも薄く形成されている。具体的には、半導体チップ３が配されるステージ部５の表面５ａとは反対側に面する連結リード２７の先端部の裏面にハーフエッチング加工が施され、連結リード２７の先端部の裏面は、ステージ部５の裏面５ｂよりも低く位置している。なお、図４においては、ハーフエッチング加工が施された連結リード２７の裏面がハッチング領域によって示されている。
【００１９】
そして、図１〜３に示すように、半導体パッケージ１を構成する樹脂モールド部９は、上述したリードフレーム２１の構成のうちダムバー２９よりも内側に位置する部分、すなわち、ステージ部５、リード２３の先端部（インナーリード７）及び連結リード２７の先端部を封止している。この樹脂モールド部９は、平面視略矩形の厚板状に形成され、その各辺がダムバー２９の各辺に沿うように配されている。
ステージ部５の厚さ方向に面する樹脂モールド部９の平坦な下面９ｂには、ステージ部５の裏面５ｂ及びインナーリード７の裏面が外方に露出しており、樹脂モールド部９の下面９ｂと共に同一平面を形成している。なお、連結リード２７の先端部の裏面はステージ部５の裏面よりも低く形成されているため、樹脂モールド部９の下面９ｂには露出しない。
【００２０】
そして、ステージ部５の表面５ａの上方に位置する樹脂モールド部９の上面９ａは、下面９ｂと平行な平坦面に形成されている。樹脂モールド部９には、その上面９ａから突出する平面視矩形環状の突起部１１が形成されている。
この突起部１１は、ステージ部５の裏面５ｂとステージ部５の厚さ方向に重なる樹脂モールド部９の積層部分Ｓよりも外側に位置する樹脂モールド部９の外郭部分Ｏに形成されている。さらに詳述すれば、突起部１１は、外郭部分Ｏのうち複数のインナーリード７とステージ部５の厚さ方向に重なる樹脂モールド部９の部分よりも内側に位置するように形成されている。すなわち、突起部１１は、樹脂モールド部９の下面９ｂに露出するリードフレーム２１の部分とその厚さ方向に重ならない位置に形成されている。
これにより、突起部１１の形成部分における樹脂モールド部９の外郭部分Ｏの厚さ寸法Ｔ１は、ステージ部５及び樹脂モールド部９の積層部分Ｓを足し合わせた厚さ寸法Ｔ２よりも大きくなっている。
【００２１】
次に、上記構成の半導体パッケージ１の製造方法について説明する。
はじめに、金属性薄板２０に前述したリードフレーム２１を複数形成する（フレーム準備工程）、次いで、ステージ部５の表面５ａに半導体チップ３を固定して、半導体チップ３と複数のリード２３の先端部（インナーリード７）とを個別のボンディングワイヤ３１により電気接続する（チップ搭載工程）。
その後、ステージ部５の裏面５ｂ及びリード２３の裏面を外方に露出させるように、ステージ部５、半導体チップ３、並びに、リード２３及び連結リード２７の先端部を封止する樹脂モールド部９を形成する（モールド工程）。この工程においては、突起部１１を含む樹脂モールド部９の外形に対応する金型内にリードフレーム２１を配置し、この金型内に溶融樹脂を射出することで、樹脂モールド部９を形成することができる。
このモールド工程後の状態においては、図１〜３に示すように、金属性薄板２０によって連結された半導体パッケージ１が構成されることになる。
【００２２】
モールド工程後には、樹脂モールド部９から外方に露出するステージ部５及びリード２３にめっきを施す（めっき工程）。このめっき工程は、例えば図５に示すように、上述したフレーム準備工程、チップ搭載工程及びモールド工程を実施してなる半導体パッケージ１を複数積層した状態で実施する。すなわち、フレーム準備工程において複数のリードフレーム２１が形成された金属性薄板２０を複数用意すると共に、複数の金属性薄板２０に対してチップ搭載工程及びモールド工程を実施しておく。そして、複数のステージ部５がその厚さ方向に重なり合うように複数の金属性薄板２０を積層する。
【００２３】
この際には、下側のリードフレーム２１（一方のリードフレーム）に形成された樹脂モールド部９の突起部１１を、上側のリードフレーム２１（他方のリードフレーム）に形成されたステージ部５とインナーリード７との隙間に位置する樹脂モールド部９の（外郭部分Ｏの）下面９ｂに当接させる。この当接状態においては、上側の樹脂モールド部９の下面９ｂに露出するステージ部５及びインナーリード７と、下側の樹脂モールド部９の上面９ａとの間に隙間が形成されることになる。すなわち、上側の半導体パッケージ１を構成するステージ部５の裏面５ｂ及びインナーリード７の裏面が下側の半導体パッケージ１を構成する樹脂モールド部９に接触することを防止できる。
【００２４】
このように複数の半導体パッケージ１を積層した後に、めっき工程を実施する。めっき工程は、例えばめっき液が満たされためっき漕内に積層状態の半導体パッケージ１を浸すことで行われる。この際、全ての半導体パッケージ１のステージ部５の裏面５ｂ及びインナーリード７の裏面は外方に露出しているため、ステージ部５の裏面５ｂ及びインナーリード７の裏面にめっきが施されることになる。
最後に、樹脂モールド部９とダムバー２９との間に位置する複数のリード２３及び連結リード２７を切断する切断工程を実施することで、個別に切り分けられた半導体パッケージ１の製造が完了する。なお、切断工程を経た半導体パッケージ１においては、リード２３及び連結リード２７の切断面が、樹脂モールド部９の側部から外方に露出することになる。
【００２５】
以上説明したように、上記半導体パッケージ１及びその製造方法によれば、従来のように別途スペーサを設置することなく、上述したように複数の半導体パッケージ１を積層するだけで、各半導体パッケージ１のステージ部５の裏面５ｂにめっきを施すことができる。すなわち、めっきを施すための作業を簡便に行うことができ、半導体パッケージ１の製造効率向上を図ることができる。
また、めっき工程後において、複数の半導体パッケージ１の積層状態を保持しておけば、上側の半導体パッケージ１を構成するステージ部５の裏面５ｂ及びインナーリード７の裏面に形成されためっきが、下側の半導体パッケージ１の樹脂モールド部９の上面９ａに付着することも防止できる。すなわち、めっき工程後の半導体パッケージ１を積層しても、めっきがステージ部５の裏面５ｂ及びインナーリード７の裏面から剥がれることを防止できる。
【００２６】
なお、上記実施形態の製造方法においては、金属性薄板２０によって複数連結された半導体パッケージ１を重ね合わせた状態でめっき工程を行っているが、例えば切断工程を実施した後に、個片化された半導体パッケージ１を重ねた状態でめっき工程を実施してもよい。また、上記実施形態のフレーム準備工程においては、例えば同一の金属性薄板にリードフレーム２１を１つだけ形成してもよい。
これらの場合には、平面視環状に形成された突起部１１の先端がその周方向にわたって同一平面内に配されていることで（例えば突起部１１の高さ寸法がその周方向にわたって同一となるように設定されていることで）、複数の半導体パッケージ１を安定した状態で積層することができる。また、切断工程後にめっき工程を実施する場合には、樹脂モールド部９の側部から外方に露出するリード２３及び連結リード２７の切断面にもめっきを施すこともできる。
【００２７】
また、上記実施形態において、樹脂モールド部９の上面９ａには、平面視環状の突起部１１が形成されるとしたが、例えば図６〜８に示すように、１つあるいは複数のドット状の突起部１３が形成されていてもよい。
具体的に、図６においては、突起部１３が樹脂モールド部９の上面９ａの４つの角部に１つずつ形成されており、図７においては、突起部１３が互いに対角に位置する樹脂モールド部９の上面９ａの２つの角部に１つずつ形成されている。そして、図６，７における複数の突起部１３は、ステージ部５の裏面５ｂの中心を通ってステージ部５の厚さ方向に延びる中心軸線Ｌ１を中心として互いに軸対称となる位置に配されている。また、図８においては、突起部１３が樹脂モールド部９の上面９ａの１つの角部に１つだけ形成されている。これらドット状の突起部１３は、いずれも連結リード２７とステージ部５の厚さ方向に重なる位置に配されている。
【００２８】
これらの場合には、上記実施形態のように、外郭部分Ｏのうち複数のインナーリード７とステージ部５の厚さ方向に重なる樹脂モールド部９の部分よりも内側に突起部１３を形成することに限らず、外郭部分Ｏのうち複数のインナーリード７とステージ部５の厚さ方向に重なる樹脂モールド部９の部分を除く任意の位置に突起部１３を形成することができる。すなわち、図６〜８に記載された半導体パッケージ２，４，６の場合には、外郭部分Ｏのうち複数のインナーリード７とステージ部５の厚さ方向に重なる樹脂モールド部９の部分よりも外側に突起部１３を形成することを可能としながら、上記実施形態と同様の効果も奏する。
【００２９】
なお、例えば図８に示すように、ドット状の突起部１３を１つだけ形成した半導体パッケージ６が個片化された状態で積層されている場合には、下側の樹脂モールド部９の上面９ａと上側の樹脂モールド部９の下面９ｂとが、突起部１３を形成した樹脂モールド部９の角部と対角に位置する別の角部において当接するが、この当接部分における上側の樹脂モールド部９の下面９ｂにはリードフレーム２１が露出していない。したがって、上記実施形態と同様に、上側のステージ部５の裏面５ｂやインナーリード７の裏面と、下側の樹脂モールド部９の上面９ａとの間には隙間が生じ、上側のステージ部５やインナーリード７が下側の樹脂モールド部９に接触することを防止できる。
【００３０】
また、図７に示す半導体パッケージ４のように、３つ以上の突起部１３がステージ部５の裏面５ｂの中心を通ってステージ部５の厚さ方向に延びる中心軸線Ｌ１を中心として互いに軸対称となる位置に形成されている場合には、切断工程後の半導体パッケージ４であっても、少なくとも３つの突起部１３の先端が同一平面内に配されることで、複数の半導体パッケージ４を安定した状態で積層することができる。
なお、これらドット状の突起部１３は、例えばモールド工程において使用される金型に設けられて、樹脂モールド部９の成形後の型抜きに使用するエジェクタピンを利用して形成されてもよい。また、例えば突起部１３の先端を平坦面に形成したり、突起部１３の先端面に金型の識別番号を示すキャビティーナンバーが形成されていてもよい。
【００３１】
また、突起部１１，１３は、樹脂モールド部９の平坦な上面９ａから突出して形成されるとしたが、例えば、積層部分Ｓに位置する樹脂モールド部９の上面９ａよりも外郭部分Ｏに位置する樹脂モールド部９の上面９ａが高く位置することで、形成されてもよい。具体的には、例えば樹脂モールド部９の上面９ａが積層部分Ｓと外郭部分Ｏとの間で段差を有するように形成されることで、突起部が形成されてもよい。また、例えば樹脂モールド部９の上面９ａを凹面に形成すると共に凹面の底部を樹脂モールド部９の積層部分Ｓに位置させることで、突起部が形成されてもよい。
【００３２】
また、突起部１１，１３は、樹脂モールド部９の上面９ａから突出するように形成されることに限らず、少なくとも突起部１１，１３を含む樹脂モールド部９の外郭部分Ｏの厚さ寸法Ｔ１が、樹脂モールド部９の積層部分Ｓ及びステージ部５を足し合わせた厚さ寸法Ｔ２よりも大きければ、例えば樹脂モールド部９の下面９ｂから突出するように形成されてもよい。
この場合には、上記実施形態と同様の効果を奏するだけではなく、ステージ部５を接合させる回路基板に突起部１１，１３を挿入できる穴を形成しておくことで、回路基板に対する半導体パッケージ１，２，４，６の位置決めも容易に行うこともできる。
【００３３】
また、上記実施形態においては、本願発明の半導体パッケージとして、インナーリード７が樹脂モールド部９の下面９ｂから外方に露出する所謂ＱＦＮ（Quad Flat Non-Leaded Package）を例に取り上げて説明したが、少なくともステージ部５の裏面５ｂが樹脂モールド部９の下面９ｂから露出していればよい。したがって、本願発明の半導体パッケージは、例えば図９に示すように、インナーリード７が外方に露出せずに樹脂モールド部９内に埋設されると共に、インナーリード７に連なるリード２３の基端部がアウターリードとして樹脂モールド部９の側部から外方に突出するＱＦＰ（Quad Flat Package）に適用することもできる。
【００３４】
以上、本発明の実施形態について図面を参照して詳述したが、具体的な構成はこの実施形態に限られるものではなく、本発明の要旨を逸脱しない範囲の設計変更等も含まれる。
【符号の説明】
【００３５】
１，２，４，６…半導体パッケージ、３…半導体チップ、５…ステージ部、５ａ…表面、５ｂ…裏面、７…インナーリード（リード）、９…樹脂モールド部、９ａ…上面、９ｂ…下面、１１，１３…突起部、２０…金属性薄板、２１…リードフレーム、２３…リード、２５…フレーム枠部、２７…連結リード、Ｌ１…中心軸線、Ｏ…外郭部分、Ｓ…積層部分
【図１】
2010192848.tif 000003
【図２】
2010192848.tif 000004
【図３】
2010192848.tif 000005
【図４】
2010192848.tif 000006
【図５】
2010192848.tif 000007
【図６】
2010192848.tif 000008
【図７】
2010192848.tif 000009
【図８】
2010192848.tif 000010
【図９】
2010192848.tif 000011